(57)【要約】【課題】異物の侵入の抑制を実現する新たな技術を提供する。【解決手段】本開示の現場用電気機器において、作動部は、電力の供給を受けて作動する。端子ホルダは、バッテリパックから電力の供給を受けるための１つ以上の端子を備える。ハウジングは、上記作動部及び上記端子ホルダを保持する。仕切部は、上記作動部の存在する第１の空間と、上記端子ホルダの存在する第２の空間と、を仕切るように構成され、それら第１の空間と第２の空間とを連通させる貫通穴を備える。接続部は、上記貫通穴を通過して、上記１つ以上の端子と、上記作動部と、を電気的に接続する。封鎖部は、上記接続部が通過した状態の上記貫通穴を封ずる。【選択図】図５
2018058127.tif 000002
【特許請求の範囲】
【請求項１】
電力の供給を受けて作動するように構成された作動部と、
バッテリパックから電力の供給を受けるための１つ以上の端子を備える端子ホルダと、
前記作動部及び前記端子ホルダを保持するように構成されたハウジングと、
前記ハウジングに設けられ、前記作動部の存在する第１の空間と、前記端子ホルダの存在する第２の空間と、を仕切るように構成され、前記第１の空間と前記第２の空間とを連通させる貫通穴を備える仕切部と、
前記貫通穴を通過して、前記１つ以上の端子と、前記作動部と、を電気的に接続するように構成された接続部と、
前記接続部が通過した状態の前記貫通穴を封ずるように構成された封鎖部と、を備える現場用電気機器。
【請求項２】
請求項１に記載の現場用電気機器であって、
前記ハウジングは、前記端子ホルダを所定の位置に保持可能に構成された保持部を備えており、
前記端子ホルダは、前記保持部に保持されることにより前記ハウジングに取り付けられる、現場用電気機器。
【請求項３】
請求項２に記載の現場用電気機器であって、
前記仕切部は、複数の部品を組み合わせて構成されており、
前記保持部は、前記複数の部品のうちの少なくとも２つに分けて設けられた複数の部材を備え、前記複数の部品が組み合わされて前記仕切部が構成された状態において、前記複数の部材が前記端子ホルダを保持可能な状態となるように構成されている、現場用電気機器。
【請求項４】
請求項２又は請求項３に記載の現場用電気機器であって、
前記端子ホルダは、がたつきを有する状態で前記ハウジングに取り付けられている、現場用電気機器。
【請求項５】
請求項４に記載の現場用電気機器であって、
前記接続部は、前記封鎖部から前記１つ以上の端子までの少なくとも一部において、変形が可能に構成されている、現場用電気機器。
【請求項６】
請求項１から請求項５までのいずれか１項に記載の現場用電気機器であって、
前記ハウジングは、前記バッテリパックを着脱可能に保持する装着部を備えている、現場用電気機器。
【請求項７】
請求項１から請求項６までのいずれか１項に記載の現場用電気機器であって、
前記ハウジングは、略円筒状の筒状部を有しており、
前記仕切部は、前記ハウジングを前記筒状部の軸方向を法線方向とする平面に投影したときに、前記仕切部の少なくとも一部が前記筒状部の内側に位置するように配置されている、現場用電気機器。
【発明の詳細な説明】
【技術分野】
【０００１】
本開示は、現場用電気機器に関する。
【背景技術】
【０００２】
現場用電気機器として、ハウジングに着脱可能なバッテリパックを電源として用いるものが知られている。ハウジングにおけるバッテリパックの着脱部分には、バッテリパックから電力供給を受けるための１つ以上の端子を備えた端子ホルダを設ける場合がある。この端子ホルダを保持するための構造は、水や塵などの異物のハウジング内部への侵入が抑制された構造とすることが望まれる。
【０００３】
下記特許文献１には、端子ホルダの周囲にシール部材をとりつけ、ハウジングにて端子ホルダを挟み込む構成が開示されている。
【先行技術文献】
【特許文献】
【０００４】
【特許文献１】特許第５９６２３２５号公報
【発明の概要】
【発明が解決しようとする課題】
【０００５】
特許文献１に開示された構成は、製造上の寸法のばらつきやシール部材の経時劣化などを考慮すると、異物の侵入抑制のために必ずしも最適な構成ではない場合がある。
本開示は、異物の侵入の抑制を実現する新たな技術を提供することを目的とする。
【課題を解決するための手段】
【０００６】
本開示の一態様は、作動部と、端子ホルダと、ハウジングと、ハウジングに設けられる仕切部と、接続部と、封鎖部と、を備える現場用電気機器である。
上述した作動部は、電力の供給を受けて作動するように構成されている。端子ホルダは、バッテリパックから電力の供給を受けるための１つ以上の端子を備える。ハウジングは、上記作動部及び上記端子ホルダを保持するように構成されている。仕切部は、上記作動部の存在する第１の空間と、上記端子ホルダの存在する第２の空間と、を仕切るように構成され、上記第１の空間と上記第２の空間とを連通させる貫通穴を備える。接続部は、上記貫通穴を通過して、上記１つ以上の端子と、上記作動部と、を電気的に接続するように構成されている。封鎖部は、上記接続部が通過した状態の上記貫通穴を封ずるように構成されている。
【０００７】
このような現場用電気機器は、仕切部によって、作動部の存在する空間と端子ホルダの存在する空間とが仕切られており、また封鎖部によって仕切部の貫通穴が封じられているため、第２の空間から第１の空間への異物の侵入を抑制することができる。
【０００８】
上述した現場用電気機器において、上記ハウジングは、上記端子ホルダを所定の位置に保持可能に構成された保持部を備えており、上記端子ホルダは、上記保持部に保持されることにより上記ハウジングに取り付けられてもよい。
【０００９】
このような現場用電気機器は、保持部によって端子ホルダをハウジングの所定の位置に保持することができる。
また上述した現場用電気機器において、上記仕切部は、複数の部品を組み合わせて構成されており、上記保持部は、上記複数の部品のうちの少なくとも２つに分けて設けられた複数の部材を備えており、上記複数の部品が組み合わされて仕切部が構成された状態において、上記複数の部材が上記端子ホルダを保持可能な状態となるように構成されていてもよい。
【００１０】
このような現場用電気機器は、複数の部品を組み付けて仕切部が構成された状態で端子ホルダをハウジングに保持することができる。
また上述した現場用電気機器において、上記端子ホルダは、がたつきを有する状態で上記ハウジングに取り付けられていてもよい。
【００１１】
このような現場用電気機器は、端子ホルダが完全に固定されずに小さな範囲で移動することができる。そのため、端子ホルダの１つ以上の端子とバッテリパックの１つ以上の端子とが接触するときに、いずれかの端子に過剰に負荷が掛かってしまうことを抑制できる。
【００１２】
また上述した現場用電気機器において、上記接続部は、上記封鎖部から上記１つ以上の端子までの少なくとも一部において、変形が可能に構成されていてもよい。
このような現場用電気機器は、端子ホルダの移動が接続部によって妨げられることが抑制される。
【００１３】
また上述した現場用電気機器において、上記ハウジングは、上記バッテリパックを着脱可能に保持する装着部を備えていてもよい。
このような現場用電気機器は、バッテリパックを所定の位置に取り付けることができる。
【００１４】
また上述した現場用電気機器において、上記ハウジングは、略筒状の筒状部を有しており、上記仕切部は、上記ハウジングを上記筒状部の軸方向を法線方向とする平面に投影したときに、上記仕切部の少なくとも一部が上記筒状部の内部に位置するように配置されていてもよい。
【００１５】
このような現場用電気機器は、仕切部の少なくとも一部が筒状部の内部に位置しているため、端子ホルダを筒状部の中心に近づけた位置に配置することができるようになる。
【図面の簡単な説明】
【００１６】
【図１】バッテリパックを外した状態のレーザー墨出し器を示す斜視図である。
【図２Ａ−２Ｄ】図２Ａがレーザー墨出し器の正面図であり、図２Ｂがレーザー墨出し器の右側面図であり、図２Ｃがレーザー墨出し器の平面図であり、図２Ｄがレーザー墨出し器の斜視図である。
【図３Ａ−３Ｄ】図３Ａがバッテリパックの正面図であり、図３Ｂがバッテリパックの右側面図であり、図３Ｃがバッテリパックの平面図であり、図３Ｄがバッテリパックの斜視図である。
【図４Ａ−４Ｃ】図４Ａが取付部を斜め後方から見た斜視図であり、図４Ｂが取付部を斜め前方から見た斜視図であり、図４Ｃが取付部を斜め前方から見た分解斜視図である。
【図５Ａ−５Ｄ】図５Ａが取付部の背面図であり、図５Ｂが取付部の底面図であり、図５Ｃが取付部の正面図であり、図５Ｄが図５ＣのＶＤ−ＶＤ断面図である。
【図６】取付部を外した状態のレーザー墨出し器を示す斜視図である。
【図７】図２Ａの部分的なＶＩI−ＶIＩ断面図である。
【図８】シーリング材を塗布した状態の取付部を説明する図である。
【図９】図２ＡのＩＸ−ＩＸ断面図である。
【発明を実施するための形態】
【００１７】
以下、図面を参照しながら、本開示の例示的な実施形態を説明する。
［１．実施形態］
［１−１．全体構成］
本実施形態のレーザー墨出し器１は、土木、建築工事等に用いられるものであり、対象物に対してレーザー光による基準線を投射するように構成されている。このレーザー墨出し器１は、本開示の現場用電気機器の一例である。
【００１８】
図１〜図２Ａ−２Ｄに示されるように、レーザー墨出し器１は、ハウジング１１、レーザー光生成部１３、バッテリパック１５、などを備えている。
以下では、前後、左右、上下の方向を用いてレーザー墨出し器１の構造を説明する場合があるが、これらの方向は便宜的に用いるだけのものであって本開示を何ら限定するものではない。なお、以下の説明における上下方向は、レーザー墨出し器の一般的な使用態様における上下方向である。また前後方向は、レーザー墨出し器１の側面のうちバッテリパック１５が取り付けられる側を後方としたときの前後方向であり、左右方向は、前方からレーザー墨出し器１を見たときの視点を基準とした左右方向である。
【００１９】
［１−２．ハウジング］
ハウジング１１は、図１及び図２Ａ−２Ｄなどに示されるように、レーザー墨出し器１の設置場所に当接するベース部２１と、中心軸Ｌ１を中心として回転可能な状態でベース部２１の上側に固定される回転部２２と、を備える。
【００２０】
ベース部２１は、板部３１と、３つの脚部３２と、を備える。板部３１は、回転部２２を回転可能に支持する略円盤板状の部材である。脚部３２は、板部３１を支持する。
【００２１】
回転部２２は、中心軸Ｌ１を中心として軸線方向に延びる略円柱形状であり、上部は上端に向けて徐々に半径が小さくなる丸みを帯びた形状である。回転部２２は、図２Ａ、図２Ｂに示されるように、レーザー光を生成するレーザー光生成部１３を内部に保持する。回転部２２は、図１などに示されるように、レーザー光を内部から外部に向けて通過させる４つの水平レーザー光射出口３３および４つの鉛直レーザー光射出口３４を備えている。
【００２２】
水平レーザー光射出口３３はそれぞれ、レーザー光生成部１３から射出されたレーザー光のうち水平方向基準線を示す水平レーザー光をハウジング１１の内部から外部に向けて通過させるよう構成されている。
【００２３】
鉛直レーザー光射出口３４はそれぞれ、レーザー光生成部１３から射出されたレーザー光のうち鉛直方向基準線を示す鉛直レーザー光をハウジング１１の内部から外部に向けて通過させるよう構成されている。
【００２４】
また、回転部２２の後方側の一部は、取付部３５として構成されている。取付部３５は、バッテリパック１５のハウジング１１への取り付けを実現するための２本のスライドレール３６を備えると共に、バッテリパック１５から電力の供給を受けるための１つ以上の端子が設けられている端子ホルダ２３を保持する。
【００２５】
２つのスライドレール３６は、バッテリパック１５をハウジングに着脱可能に保持する。この着脱は、バッテリパック１５を２つのスライドレール３６に沿ってスライドさせることによって実現される。２つのスライドレール３６が、本開示の装着部の一例である。取付部３５が保持する端子ホルダ２３の詳細については後述する。
【００２６】
またハウジング１１には、電源スイッチ３７、モード切替スイッチ３８，３９、ストラップ１３１、外部電源接続部１３２が設けられている。
電源スイッチ３７は、回転部２２の側面に備えられており、使用者の操作により、レーザー光の射出を行うＯＮ状態とレーザー光の射出を行わないＯＦＦ状態とのいずれかに設定される。
【００２７】
モード切替スイッチ３８，３９は、回転部２２の上面に備えられており、使用者の操作によりレーザー光の射出態様が設定される。
ストラップ１３１は、使用者がレーザー墨出し器１を持ち運ぶ際に使用者によって把持される。
【００２８】
外部電源接続部１３２は、外部電源と電気的に接続可能に構成されている。
［１−３．レーザー光生成部］
レーザー光生成部１３は、図２Ａ、図２Ｂに示されるように、レーザー光を射出するレーザー光射出部４１と、レーザー光射出部４１でのレーザー光の射出を制御する射出制御部４２と、を備える。
【００２９】
レーザー光射出部４１は、電力供給によりレーザー光を生成する図示しないレーザー光源と、レーザー光源から射出されたレーザー光を線状光に変換するレンズ等を有する図示しないレーザー光変換部と、を備えている。レーザー光射出部４１は、線状光として、水平方向基準線を示す水平レーザー光と、鉛直方向基準線を示す鉛直レーザー光と、を射出する。レーザー光射出部４１は、４個の水平レーザー光射出口３３および４個の鉛直レーザー光射出口３４のそれぞれの形成位置に応じて、４つの水平レーザー光および４つの鉛直レーザー光をそれぞれ射出するように構成されている。また、レーザー光射出部４１は、緑色のレーザー光を射出する。
【００３０】
射出制御部４２は、モード切替スイッチ３８，３９による使用者からの指令内容に応じて、レーザー光射出部４１でのレーザー光の射出を制御する。射出制御部４２は、例えば、マイクロコンピュータを備えていてもよい。
【００３１】
また回転部２２の内部には、送電用のケーブルである接続部４３が設けられている。接続部４３は、端子ホルダ２３に備えられる複数の端子と、レーザー光生成部１３と、を電気的に接続し、バッテリパック１５からレーザー光生成部１３に電力を供給する。なお接続部４３は複数のケーブルの束を備え、各ケーブルは、樹脂で被覆された電線である。このケーブルの束は、弾性及び柔軟性を有しており、容易に変形可能である。このように本実施形態の接続部４３は複数のケーブルを含むが、図面では１つ又は２つのケーブルのみをそれらの代表として図示している。
【００３２】
［１−４．バッテリパック］
バッテリパック１５は、電力の供給を行うための装置である。バッテリパック１５は、図３Ａ−３Ｄに示されるように、箱型の筐体５０を備えている。この筐体５０の内部には、図示しないバッテリセルや、バッテリセルの温度を検出する温度検出素子、充放電を制御するマイクロコンピュータ等が内部に収容される。
【００３３】
筐体５０の一面には、一方に長さを有する２つのスライダ片５１が間隔を空けて平行に配置されている。バッテリパック１５を取付部３５に取り付ける際には、この２つのスライダ片５１が２つのスライドレール３６上でスライドすることでバッテリパック１５が水平方向に移動する。それにより、バッテリパック１５が、電力供給が可能となる取付位置まで案内される。
【００３４】
２つのスライダ片５１の間には、５つのスリット５２〜５６が２つのスライダ片５１の並ぶ方向に並んで形成されている。５つのスリット５２〜５６は、２つのスライダ片５１の長手方向と同じ方向に長さを有し、バッテリパック１５を取付部３５に取り付ける方向の先端側が開いた形状となっている。
【００３５】
５つのスリット５２〜５６のうちの最も外側に配置される２つのスリット５２、スリット５６の内部には、バッテリパック１５を充電する図示しない充電器と電気的に接続するための信号端子５８、信号端子６２が配置されている。外側から２番目に配置される２つのスリット５３、スリット５５の内部には、バッテリセルの充放電を行うためのプラス端子５９及びマイナス端子６１が配置されている。また、中央のスリット５４の内部には、温度信号端子６０が配置されている。
【００３６】
［１−５．端子ホルダ］
端子ホルダ２３は、図４Ａ−４Ｃに示されるように、第１端子８１、第２端子８２、及び第３端子８３の３つの端子を保持しつつ、それら３つの端子それぞれを、バッテリパック１５と接続する側の端部と、接続部４３と接続する側の端部と、に区画する。なお以下の説明においては、図４Ａに表される、上述した３つの端子におけるバッテリパック１５と接続する側の端部をまとめて、単に表側端子群と記載し、図４Ｃに表される、接続部４３と接続する側の端部をまとめて、単に裏側端子群と記載する場合がある。端子ホルダ２３に設けられる端子の数は、本実施形態に例示する数に限定されず、１つ、２つ、又は４つ以上であってもよい。
【００３７】
端子ホルダ２３は、略矩形の板状である主板部７１と、主板部７１に連接され、主板部７１と直交する方向に拡がる壁面部７３と、壁面部７３における主板部７１側とは逆の端部に連接され、主板部７１と平行に拡がる副板部７２と、を有している。主板部７１と副板部７２とは、主板部７１の法線方向から見ると、一部が重なるものの、互いに重ならない領域を有している。換言すると、主板部７１と副板部７２とはその広さ方向に関してずれた位置関係となっている。
【００３８】
壁面部７３を基準とした一方の側に表側端子群が配置され、壁面部７３を基準とした他方の側に裏側端子群が配置される。副板部７２の上下両端には、裏側端子群を上下から覆うように一対の側壁部７４，７５が設けられている。このような端子ホルダ２３の構造によって、表側端子群と、裏側端子群と、が区画される。
【００３９】
主板部７１は厚さを有する板状であって、その側面には、主板部７１の外周全域に亘る溝８０が形成されている。
また、側壁部７４と側壁部７５の間には、上述した裏側端子群の３つの端子を仕切るように、側壁部７４及び側壁部７５と平行な４つの区画壁７６〜７９が設けられる。
【００４０】
バッテリパック１５が２つのスライドレール３６によってハウジング１１に取り付けられた状態において、第１端子８１はプラス端子５９と接触し、第２端子８２は温度信号端子６０と接触し、第３端子８３はマイナス端子６１と接触する。第１端子８１及び第３端子８３は接続部４３と接続されており、接続部４３によってバッテリパック１５の電力がレーザー光生成部１３に供給される。
【００４１】
［１−６．取付部］
取付部３５は、図４Ａ−４Ｃ、図５Ａ−５Ｄに示されるように、回転部２２に組み付けられた状態において上側に位置する第１部材９１と、下側に位置する第２部材９２と、を有している。第１部材９１及び第２部材９２は、それらを組み合わせた状態でネジ９３を用いて固定することができる。取付部３５は、図示しないネジにより回転部２２に組み付けられてハウジング１１の一部となる。
【００４２】
第１部材９１は、上下左右方向に広がる第１壁面１０１と、第１壁面１０１の上端に連接され、前後左右方向に拡がる第２壁面１０２と、を有する。第１壁面１０１の下端の一部には切欠１０６が形成されている。
【００４３】
第２部材９２は、上下左右方向に広がる第３壁面１０３と、第３壁面１０３の下端に連接され、前後左右方向に拡がる第４壁面１０４と、を有する。第３壁面１０３の上端の一部には切欠１０７が形成されている。
【００４４】
第１部材９１及び第２部材９２を組み合わせると、第１壁面１０１、第２壁面１０２、第３壁面１０３、及び第４壁面１０４により仕切部１０５が形成される。仕切部１０５は、取付部３５が回転部２２に組み付けられた状態において、レーザー光生成部１３の存在する第１の空間と、端子ホルダ２３の存在する第２の空間と、を仕切るように構成されている。
【００４５】
仕切部１０５には、切欠１０６及び切欠１０７が繋がって形成された貫通穴１０８が形成される。この貫通穴１０８は、上述した第１の空間と、第２の空間と、を連通させる。
【００４６】
また第１壁面１０１と第３壁面１０３の境界部分には、防水テープ１０９が貼り付けられる。また取付部３５の仕切部１０５の周囲には、仕切部１０５を取り囲み、前方に突出する環状の突起である突条１１０が設けられている。
次に、取付部３５の回転部２２への組み付けについて説明する。図６に示されるように、回転部２２には、矩形の開口である開口部２５が形成されている。回転部２２の外側面における開口部２５を囲う部分には、内側に向けて窪んだ凹部２６が開口部２５を取り囲むように設けられている。
凹部２６には、矩形で環状のシート状のゴムであるゴムシート２７が配置される。ゴムシート２７は、開口部２５を囲むように配置される。
取付部３５は、図示しないネジにより、開口部２５を塞ぐように回転部２２に組み付けられる。取付部３５が回転部２２に組み付けられた状態では、図７に示されるように、ゴムシート２７は、凹部２６と、突条１１０及びその周辺部分と、によって挟み込まれる。
次に、取付部３５における端子ホルダ２３の取り付け構造について説明する。
【００４７】
図５Ｄに示されるように、第２部材９２における第３壁面１０３の後側には、第１リブ１１１及び第２リブ１１２が形成されている。図５Ｄにおいて左側に位置する第１リブ１１１は右側に向かって延び出しており、図５Ｄにおいて右側に位置する第２リブ１１２は左側に向かって延び出している。端子ホルダ２３は、主板部７１の溝８０に第１リブ１１１及び第２リブ１１２が挿入されて左右から挟まれた状態となる。この第１リブ１１１及び第２リブ１１２は、第１部材９１にも形成されており、上述したように主板部７１を左右から挟み込むことができる。
【００４８】
また図７に示されるように、第１部材９１における第１壁面１０１の後方には、下方向に延び出す第３リブ１１３が形成されている。第２部材９２における第３壁面１０３の後側には、上方向に延び出す第４リブ１１４が形成されている。端子ホルダ２３は、主板部７１の溝８０に第３リブ１１３及び第４リブ１１４が挿入されて上下から挟まれた状態となる。
【００４９】
このように、端子ホルダ２３は、主板部７１が、第１リブ１１１、第２リブ１１２、第３リブ１１３、及び第４リブ１１４により上下左右から挟まれることで取付部３５に取り付けられる。なお、端子ホルダ２３は取付部３５からは脱落しないが、取付部３５に対してがたつきを有した状態で取り付けられる。具体的には、第１リブ１１１と第２リブ１１２の間の間隔と、第３リブ１１３と第４リブ１１４の間の間隔と、が溝８０の底部分を基準とした主板部７１の幅よりも大きく形成されている。また各リブの厚さも溝８０の幅より小さくなるように形成されている。
【００５０】
第１部材９１及び第２部材９２が組み合わされていない状態では、主板部７１は、第３リブ１１３と第４リブ１１４の両方による上下方向からの挟み込みが為されないため、端子ホルダ２３は第１部材９１又は第２部材９２に対して着脱が可能となる。即ち、第１リブ１１１〜第４リブ１１４は、第１部材９１及び第２部材９２が組み合わされて仕切部１０５を構成する状態において、端子ホルダ２３を保持可能な状態となる。なお、第１リブ１１１〜第４リブ１１４が、本開示における保持部の一例である。
【００５１】
取付部３５に端子ホルダ２３を取り付けた状態において、図８に示されるように、接続部４３が通過した状態の貫通穴１０８を封ずるようにシーリング材１２１が配される。シーリング材としては、例えばシリコン系やウレタン系の樹脂を用いることができるが、これ以外の材料を用いてもよい。なお、シーリング材１２１が本開示の封鎖部の一例である。
接続部４３のうち、貫通穴１０８の内部に位置する部分はシーリング材１２１により固定されて変位が不能となるが、裏側端子群に接続されるケーブル端子４３ａとシーリング材１２１との間の先端部分４３ｂは変位が可能である。
【００５２】
また、回転部２２のうち、取付部３５の上部及び下部は、図７に示されるように、主たる部分が略円筒状の筒状部２２ａとなっているが、図９に示されるように、ハウジング１１を筒状部２２ａの軸方向を法線方向とする平面に投影したときに、仕切部１０５のうち少なくとも第３壁面１０３を含む部分は、筒状部２２ａの内側に位置するように配置される。なお図９では、レーザー光生成部１３や、接続部４３、シーリング材１２１などの図示を省略している。また、図示を省略するが、第１壁面１０１も同様に筒状部２２ａの内側に位置するように配置される。
【００５３】
［１−７．効果］
以上詳述した実施形態によれば、以下の効果が得られる。
（１ａ）本実施形態のレーザー墨出し器１では、仕切部１０５によって、回転部２２の内部と外部とが仕切られており、またシーリング材１２１によって仕切部１０５の貫通穴１０８が封じられている。そのため、回転部２２の内部に水や塵などの異物が侵入する経路が十分に塞がれ、異物の侵入を抑制することができる。
【００５４】
なお、図５Ｄ，図７に示されるように、端子ホルダ２３は、取付部３５に取り付けられた状態において、取付部３５との隙間が小さくなるように構成されている。よって大きな異物は端子ホルダ２３によっても侵入を抑制することができる。また防水テープ１０９によって、第１壁面１０１と第３壁面１０３の間からの異物の侵入も抑制することができる。また取付部３５と回転部２２との間には、ゴムシート２７が挟み込まれており、このゴムシート２７によりシールされることで異物の侵入が抑制される。
【００５５】
（１ｂ）本実施形態のレーザー墨出し器１では、第１部材９１及び第２部材９２を組み合わせたときに、第１リブ１１１〜第４リブ１１４によって端子ホルダ２３をハウジング１１の所定の位置に保持することができる。
【００５６】
また、端子ホルダ２３は取付部３５に対してがたつきを有する状態で保持されるため、端子ホルダ２３が小さい範囲で移動することができる。バッテリパック１５を取付部３５に取り付けたときに、端子ホルダ２３における３つの端子とバッテリパック１５における端子とが接触するが、端子ホルダ２３が移動可能であることからいずれかの端子に過剰に負荷が掛かってしまうことを抑制でき、それにより、端子やその周辺部分の変形や破損が生じることを抑制できる。
【００５７】
また、接続部４３が変形可能であるため、端子ホルダ２３の移動が接続部４３によって妨げられることが抑制される。
（１ｃ）本実施形態のレーザー墨出し器１では、仕切部１０５のうち少なくとも第１壁面１０１と第３壁面１０３とが、筒状部２２ａの内側に位置している。そのため、端子ホルダ２３及びバッテリパック１５を筒状部２２ａの中心軸Ｌ１に寄せて配置することができるようになる。
【００５８】
［２．他の実施形態］
以上、本開示の実施形態について説明したが、本開示は上述の実施形態に限定されることなく、種々変形して実施することができる。
【００５９】
（２ａ）上記実施形態では、現場用電気機器の一例としてレーザー墨出し器１を例示したが、本開示の技術は、日曜大工、製造、園芸、工事などの作業現場で使用される他の現場用電気機器に適用されてもよい。具体的には、例えば、電力の供給を受けて作動するように構成された作動部を有する電動の作業機であって、石工用、金工用、木工用の電動工具や、園芸用の作業機、作業現場の環境を整える装置等に適用することができる。より具体的には、電動ハンマ、電動ハンマドリル、電動ドリル、電動ドライバ、電動レンチ、電動グラインダ、電動マルノコ、電動レシプロソー、電動ジグソー、電動ハンマ、電動カッター、電動チェンソー、電動カンナ、電動釘打ち機（鋲打ち機を含む）、電動ヘッジトリマ、電動芝刈り機、電動芝生バリカン、電動刈払機、電動クリーナ、電動ブロア、電動噴霧器、電動散布機、電動集塵機、現場用ライト、ラジオやスピーカーなどの現場用オーディオ機器、といった各種現場用電気機器に適用することができる。
【００６０】
従って、端子ホルダ２３及びハウジング１１の各部位の形状も上記実施形態にて例示した形態に何ら限定されることはない。
（２ｂ）上記実施形態では、樹脂製のシーリング材１２１を用いて貫通穴１０８を塞ぐ構成を例示したが、接続部４３が通過した状態の貫通穴１０８を封ずるように構成されていれば、これに限定されるものではない。例えば、貫通穴１０８の内部にスポンジ状の部材を配置して貫通穴１０８を封ずる構成であってもよいし、テープのようなシート状の部材で貫通穴１０８を封ずる構成であってもよい。
貫通穴１０８を封ずるために、接続部４３に巻きつけることができる部材である巻き付け部材を用いる場合は、巻き付け部材を予め接続部４３に巻きつけ、その後、接続部４３が貫通穴１０８の内部に納まるように第１部材９１と第２部材９２とを組み合わせてもよい。巻き付け部材とは、例えば、スポンジ状の部材、シート状の部材、及びシール材などが該当する。巻き付け部材が貫通穴１０８を構成する壁面により挟み込まれることで、貫通穴１０８を良好に封ずることができる。
【００６１】
（２ｃ）上記実施形態では、端子ホルダ２３を保持する保持部として、第１リブ１１１〜第４リブ１１４を例示したが、端子ホルダ２３を保持可能な構成であれば、保持部は上述した構成に限定されない。
【００６２】
例えば、第１リブ１１１〜第４リブ１１４は第１部材９１及び第２部材９２に分かれて配置される構成を例示したが、１つの部材に全て配置されていてもよいし、取付部３５が３つ以上の部材を組み合わせて構成されている場合は、それら３つ以上の部材に保持部を分けて配置してもよい。
【００６３】
また、主板部７１を挟み込むようにして端子ホルダ２３を保持するのではなく、例えばネジ等の固定具を用いて固定する構成であってもよい。
また保持部は、端子ホルダ２３と保持部との間にクリアランスを設けてがたつきがあるように構成してもよいが、がたつきがないように端子ホルダ２３を保持する構成であってもよい。なおクリアランスを設ける場合は、端子ホルダ２３が移動可能である範囲を１ｍｍ以下に設定することが考えられる。
【００６４】
（２ｄ）上記実施形態では、接続部４３として弾性及び柔軟性を有しており、変形が可能なケーブルを例示したが、これに限定されるものではない。例えば、接続部として、金属製の板金部品や棒状の部材のようにケーブルと比べて弾性や柔軟性が劣る部材を用いてもよい。
【００６５】
なお、接続部は、シーリング材１２１などの封鎖部から端子ホルダ２３の裏側端子群までの少なくとも一部において変形が可能に構成されていることで、端子ホルダ２３の可動性を確保することができる。即ち、ケーブルのように全体が変形可能でなくともよい。ここでいう、変形が可能、とは、バッテリパック１５をハウジング１１に装着する際に受ける程度の荷重が端子ホルダ２３に加えられたときに形状が変化できることを意味する。変形を実現するための部材には、繰り返し形状が変化しても破損しにくい部材を用いることが考えられる。
【００６６】
（２ｅ）上記実施形態では、バッテリパック１５をハウジング１１に取り付けるための装着部として２本のスライドレール３６を例示したが、２本のスライドレール３６以外の構成によりバッテリパックを保持可能に構成してもよい。例えば、ネジ９３などの固定具を用いてバッテリパック１５をハウジング１１に取り付ける構成であってもよい。
（２ｆ）端子ホルダ２３に設けられる裏側端子群に、防水及び防塵の両方又はいずれか一方の処理が施されていてもよい。例えば、シリコン系樹脂、ウレタン系樹脂、及び防湿材などを裏側端子群の表面に塗布することができる。もちろん、防水及び防塵の処理は上述した構成に限定されず、様々な手法により実現することができる。
【符号の説明】
【００６７】
１…レーザー墨出し器、１１…ハウジング、１３…レーザー光生成部、１５…バッテリパック、２２…回転部、２２ａ…筒状部、２３…端子ホルダ、２５…開口部、２６…凹部、２７…ゴムシート、３３…水平レーザー光射出口、３４…鉛直レーザー光射出口、３５…取付部、３６…スライドレール、３７…電源スイッチ、３８，３９…モード切替スイッチ、４１…レーザー光射出部、４２…射出制御部、４３…接続部、５０…筐体、５１…スライダ片、５２〜５６…スリット、５８…信号端子、５９…プラス端子、６０…温度信号端子、６１…マイナス端子、６２…信号端子、７１…主板部、７２…副板部、７３…壁面部、７４，７５…側壁部、８０…溝、８１…第１端子、８２…第２端子、８３…第３端子、９１…第１部材、９２…第２部材、１０１…第１壁面、１０２…第２壁面、１０３…第３壁面、１０４…第４壁面、１０５…仕切部、１０６…切欠、１０７…切欠、１０８…貫通穴、１０９…防水テープ、１１０…突条、１１１…第１リブ、１１２…第２リブ、１１３…第３リブ、１１４…第４リブ、１２１…シーリング材、１３１…ストラップ、１３２…外部電源接続部
【図１】
2018058127.tif 000003
【図２】
2018058127.tif 000004
【図３】
2018058127.tif 000005
【図４】
2018058127.tif 000006
【図５】
2018058127.tif 000007
【図６】
2018058127.tif 000008
【図７】
2018058127.tif 000009
【図８】
2018058127.tif 000010
【図９】
2018058127.tif 000011